(57)【要約】【課題】プリーツフィルタを容易に掃除できる電気掃除機を提供する。【解決手段】電動送風機３の駆動により空気とともに吸い込んだ塵埃を空気から分離するプリーツフィルタ５６を設ける。ハンドル体１８をアップライト型の掃除機本体２に対して回動して収納可能に設ける。ハンドル体１８の掃除機本体２に対する回動に連動してプリーツフィルタ５６に付着した塵埃を掃除する掃除手段４５を設ける。ハンドル体１８を掃除機本体２に対して回動させるだけで掃除手段４５にてプリーツフィルタ５６を容易に掃除できる。【選択図】        図１
2004358117.tif 000002
【特許請求の範囲】
【請求項１】
電動送風機を収容したアップライト型の掃除機本体と、
この掃除機本体に設けられ、前記電動送風機の駆動により空気とともに吸い込まれる塵埃を空気から分離するフィルタと、
前記掃除機本体に対して回動可能に設けられ、前記掃除機本体の上端部から上方に伸び、かつ前記掃除機本体に対する回動により収納状態に可変可能なハンドル体と、
このハンドル体の前記掃除機本体に対する回動に連動して前記フィルタに付着した塵埃を掃除する掃除手段と
を具備したことを特徴とした電気掃除機。
【発明の詳細な説明】
【０００１】
【発明の属する技術分野】
本発明は、フィルタを備えた電気掃除機に関する。
【０００２】
【従来の技術】
従来、この種の電気掃除機は、電動送風機を収容した掃除機本体を備えている。この掃除機本体には、略円筒状の集塵室が着脱可能に取り付けられる。この集塵室は、掃除機本体に取り付けられた状態で電動送風機の排気側に連通する。また、この集塵室内には、フィルタが取り付けられている。さらに、この集塵室には、フィルタに付着した塵埃を掃除する掃除手段が設けられている。またさらに、集塵室には、塵落としレバーが回動可能に設けられている。この塵落としレバーは、集塵室の軸方向の一端部から集塵室の外部に突出し、集塵室の外部から掃除手段を操作可能にしている。そして、この塵落としレバーは、掃除機本体に取り付けられた状態で、掃除機本体に一体に設けられた蓋部にて被覆される（例えば、特許文献１参照。）。
【０００３】
【特許文献１】
特開２００２−２７２６５６号公報（第３−４頁、図１）
【０００４】
【発明が解決しようとする課題】
しかしながら、上述の電気掃除機では、フィルタを掃除するために、一旦電動送風機を停止させ、集塵室を掃除機本体から取り外して塵落としレバーを操作しなければならないなど、フィルタの掃除が煩雑であるという問題点を有している。
【０００５】
本発明はこのような点に鑑みなされたもので、フィルタを容易に掃除できる電気掃除機を提供することを目的とする。
【０００６】
【課題を解決するための手段】
本発明は、アップライト型の掃除機本体に収容された電動送風機の駆動により空気とともに吸い込まれる塵埃を空気から分離するフィルタと、掃除機本体に対して回動可能に設けられ、掃除機本体の上端部から上方に伸び、かつ掃除機本体に対する回動により収納状態に可変可能なハンドル体と、このハンドル体の掃除機本体に対する回動に連動してフィルタに付着した塵埃を掃除する掃除手段とを具備したものである。そして、掃除機本体の上端部から上方に伸びるハンドル体をアップライト型の掃除機本体に対して回動させるだけで掃除手段にてフィルタを容易に掃除できる。
【０００７】
【発明の実施の形態】
以下、本発明の一実施の形態の電気掃除機の構成を図１ないし図５を参照して説明する。
【０００８】
図１ないし図５において、１は電気掃除機で、この電気掃除機１は、いわゆるアップライト型の掃除機である。また、この電気掃除機１は、掃除機本体２を備えており、この掃除機本体２は、電動送風機３を収容した中空なモータケース部４と、このモータケース部４と一体に設けられた中空なケース部５とを有している。
【０００９】
モータケース部４内には、図１に示すように、電動送風機３が吸込側を一端側である下端側に向けた状態で収容されている。また、モータケース部４の内部における電動送風機３の上端側には、電動送風機３へと電力を供給させるコード６を巻回したコードリール部７が回転可能に収容されている。
【００１０】
そして、モータケース部４の周面部には、図３に示すように、このモータケース部４の内部からプラグ部８およびコード６を外部へと引き出し可能および巻取り可能に導出させる略矩形状のコード口１１が開口されている。さらに、モータケース部４の周面部には、図４に示すように、押すことによりコードリール部７を回転させて、外部に導出されたコード６を巻き取るコード巻取ボタン１２が突設されている。
【００１１】
また、モータケース部４の長手方向における一端面である上端面には、図１などに示すように、取手部１３が、このモータケース部４の前側の側面部からケース部５に亘って一体的に設けられている。
【００１２】
一方、ケース部５は、細長略角筒状に形成され、モータケース部４の後側にこのモータケース部４と一体に設けられている。ここで、モータケース部４は、ケース部５の上下方向の略中心域に設けられている。
【００１３】
また、ケース部５の下端部近傍であるモータケース部４の下方の前側面には、四角形状の開口部１５が開口形成されている。さらに、ケース部５の前側かつモータケース部４の下部には、集塵部としての集塵カップ１６が、開口部１５に対向して着脱可能に取り付けられている。
【００１４】
またさらに、ケース部５の下端部には、吸込口体としての床ブラシ１７が、ケース部５に対して回動自在に取り付けられ、ケース部５の上端部には、細長略棒状のハンドル体１８が、軸支部１９を介してケース部５に対して前後方向に回動可能に軸支され、ケース部５から上方に伸びている。
【００１５】
床ブラシ１７は、内部が中空な平面視略Ｔ字状のブラシケース２１を備えている。このブラシケース２１の床面と対向する下端面には、電動送風機３の駆動により被掃除面としての床面の塵埃を空気とともに吸い込む長穴状の吸込口２２が開口されている。この吸込口２２は、ブラシケース２１の前側に偏位して設けられている。また、この吸込口２２の内部には、床面に入り込んだ塵埃を回転にて掻き出す図示しない回転清掃体が回転可能に取り付けられている。
【００１６】
さらに、このブラシケース２１の後部である幅細な基端部のケース部５側の両側面には、モータケース部４側を前側、ケース部５側を後側として掃除機本体２を床面に対して走行可能にする走行輪２３がブラシケース２１の幅方向に直交する前後方向に沿って回転可能にそれぞれ取り付けられている。これら走行輪２３は、掃除機本体２と床ブラシ１７との回動軸心に同軸状に設けられており、掃除機本体２の走行に従い床面と接触して回転する。
【００１７】
さらに、床ブラシ１７のブラシケース２１の上部には、図３および図５に示すように、吸込口２２に連通した可撓性を有する蛇腹状のホース部２４が突設されている。このホース部２４は、ブラシケース２１の幅方向の一側部に偏位して設けられ、集塵カップ１６の側部に気密な状態で着脱可能に連通接続されている。
【００１８】
一方、ハンドル体１８は、図１および図３に示すように、下端面に爪状のクランプ部２５が移動可能に突出して設けられている。このクランプ部２５は、ハンドル体１８をケース部５に対して回動させて、このハンドル体１８の下端面をケース部５の上端面に当接させた際に、このケース部５の上端面に設けられたクランプ受部２６に係脱可能に係合して、ハンドル体１８をケース部５の上端面に固定させる。
【００１９】
さらに、ハンドル体１８の側面部における前側の基端域には、ケース部５のクランプ受部２６に対するクランプ部２５による係合を解除させるクランプ操作ボタン２７が突設されている。このクランプ操作ボタン２７は、このクランプ操作ボタン２７を押すことにより、クランプ部２５の先端部に設けられた爪部２８を移動させて、この爪部２８によるクランプ受部２６への係合を解除させて、ケース部５に対してハンドル体１８を回動可能、すなわち折り曲げ可能にする。この結果、ハンドル体１８は、ケース部５に対する回動により収納状態に可変可能となる。
【００２０】
そして、ハンドル体１８は、先端に向けて徐々に細くなる先細状に形成されており、このハンドル体１８の先端部には、このハンドル体１８の長手方向に対してこのハンドル体１８の後方に向けて屈曲した長手方向を有する細長略棒状の手許操作部３１が一体的に設けられている。この手許操作部３１は、使用者が把持してハンドル体１８を容易に操作できるような形状に形成されている。また、この手許操作部３１は、ハンドル体１８を掃除機本体２に対して回動させた際に、先端部が床面に接触し、掃除機本体２の転倒を防止する。さらに、この手許操作部３１の基端域であるハンドル体１８の側面部における前側には、電動送風機３の駆動をオンオフさせる操作スイッチ３２が取り付けられている。
【００２１】
また、軸支部１９は、ケース部５の後部側に位置している。このため、ハンドル体１８は、図１ないし図４に示すように、ケース部５の後部からケース部５の上部に亘って約１８０°、ケース部５に対して前後方向に回動可能となっている。
【００２２】
さらに、軸支部１９は、図１に示すように、外周面全体にギヤ溝３３を備えた平歯車状に形成されている。このギヤ溝３３は、ケース部５の内部に回転可能に軸支された回転伝達手段としてのギヤ部３４に歯合されている。このギヤ部３４は、複数、例えば平歯車である５つのギヤＧ１〜Ｇ５を有している。
【００２３】
これら第１のギヤＧ１ないし第５のギヤＧ５は、軸支部１９よりも小型に形成され、ケース部５の幅方向に沿って回転軸を有し、ケース部５の前後方向に沿って回転可能となっている。さらに、これら第１のギヤＧ１ないし第５のギヤＧ５は、上側から下側へと順次配設されている。
【００２４】
第１のギヤＧ１は、上端部の後側が軸支部１９のギヤ溝３３に歯合し、下端部が第２のギヤＧ２の上端部に歯合している。また、第２のギヤＧ２は、上端部が第１のギヤＧ１の下部に歯合し、下端部が第３のギヤＧ３に歯合している。さらに、第３のギヤＧ３は、上端部が第２のギヤＧ２の下部に歯合し、下端部が第４のギヤＧ４に歯合している。またさらに、第４のギヤＧ４は、上端部が第３のギヤＧ３の下部に歯合し、下端部が第５のギヤＧ５に歯合している。これら第１のギヤＧ１ないし第４のギヤＧ４は、上下方向に沿って互いに略一直線上に配設されている。そして、第５のギヤＧ５は、第１のギヤＧ１ないし第４のギヤＧ４よりも若干前側であるケース部５内の前後方向の略中心域、かつ開口部１５の上端部近傍に位置し、上端部が第４のギヤＧ４の下部に歯合している。
【００２５】
ケース部５内の第５のギヤＧ５の前方には、伝達手段としてのラック３５が上下方向に沿って移動可能に配設されている。このラック３５は、上下方向に沿って略直線状に設けられており、上端部が第５のギヤＧ５近傍に位置し、下端部が開口部１５の上下方向の略中心域に対向する位置まで延設されている。また、このラック３５の後側面には、第５のギヤＧ５に歯合するラックギヤ溝３６がラック３５の幅方向に沿って、上下方向に互いに隣接して設けられている。このラックギヤ溝３６は、ラック３５の上端部からこのラック３５の上下方向の略中心域よりも若干下側の位置に亘って連続して設けられている。そして、このラックギヤ溝３６により、ラック３５は、第５のギヤＧ５の回転に伴い上下方向に移動する。また、ラック３５の前側の側部には、前側ギヤ溝３７が設けられている。この前側ギヤ溝３７は、例えば後側から前側に向けて下方向に傾斜している。さらに、この前側ギヤ溝３７は、ラック３５の下端部からラック３５の上下方向の中心域よりも下方の位置に亘って連続して設けられている。
【００２６】
そして、ケース部５内のラック３５の前方の側部には、掃除手段４５が設けられている。言い換えると、ラック３５は、開口部１５側から見て掃除手段４５の側方に設けられている。この掃除手段４５は、図１および図５に示すように、ラック３５の前側ギヤ溝３７に歯合する円盤状の回転体である回転ギヤ４６と、この回転ギヤ４６の前側面に設けられた掃除体としてのばね体である突起４７とを備えている。
【００２７】
回転ギヤ４６は、掃除機本体２の前後方向に沿って回転軸４６ａを有し、この回転軸４６ａは、ケース部５内に回動可能に軸支されている。また、回転ギヤ４６は、例えばはすば歯車であり、平面視で軸方向に対して傾斜したギヤ部４６ｂを外周面に有している。このギヤ部４６ｂは、ラック３５の前側ギヤ溝３７に歯合する。このため、回転ギヤ４６は、ラック３５の上下動に伴い、周方向に沿って回転する。さらに、回転ギヤ４６は、全体が開口部１５に対向し、この開口部１５からケース部５の外部に露出している。
【００２８】
またさらに、回転ギヤ４６には、図５に示すように、回転軸４６ａの周囲に複数、例えば６つの貫通孔５１が前後方向に貫通して設けられている。これら貫通孔５１は、例えば回転ギヤ４６の回転軸４６ａに向けて幅狭となる略扇形状に形成され、回転ギヤ４６の周方向に略等角度の間隔で互いに離間されて設けられている。したがって、回転ギヤ４６の各貫通孔５１の間には、回転ギヤ４６の径方向に沿って細長矩形状の複数、例えば６つのリブ５２がそれぞれ設けられている。これらリブ５２には、例えば回転ギヤ４６の周方向に沿って一つ置き、すなわち３箇所に、突起４７が複数、例えば２つずつ、計６つ設けられている。また、各貫通孔５１には、塵埃を吸着した除去するメッシュフィルタ５３が、これら貫通孔５１全体を閉塞してそれぞれ取り付けられている。
【００２９】
突起４７は、回転ギヤ４６の前方に水平に突出し、開口部１５からケース部５の外部に突出している。これら突起４７は、例えばコイルスプリングなどにて前後方向に付勢されており、集塵カップ１６のプリーツフィルタ５６のケース部５側の側面に浅く係合している。
【００３０】
そして、集塵カップ１６は、カップ本体５５と、フィルタとしてのプリーツフィルタ５６とを備えている。
【００３１】
カップ本体５５は、下方に向けて縮径された略有底円筒状に設けられ、後部が幅方向に直線状に設けられている。このカップ本体５５の後部には、略矩形状のカップ開口部６１が開口形成されている。このカップ開口部６１は、集塵カップ１６を掃除機本体２のケース部５に取り付けた状態で開口部１５に気密な状態で連通する。また、カップ本体５５の側部には、ホース部２４の先端部が着脱可能に連通接続される穴部としてのカップ吸込口６２が貫通して設けられている。さらに、カップ本体５５の下側の側部には、図４に示すように、集塵カップ１６を掃除機本体２に対して着脱可能にするカップボタン６３が設けられている。
【００３２】
プリーツフィルタ５６は、電動送風機３の駆動により床ブラシ１７の吸込口２２から空気とともに吸い込まれた塵埃を空気から除去するもので、掃除機本体２の幅方向に沿って前後方向に交互に湾曲したいわゆるプリーツ状に設けられている。また、このプリーツフィルタ５６は、カップ本体５５のカップ開口部６１全体を閉塞するようにこのカップ開口部６１に着脱可能に取り付けられ、集塵カップ１６を掃除機本体２に取り付けた状態でカップ開口部６１から開口部１５に臨む。
【００３３】
そして、ケース部５の内部には、図１に示すように、開口部１５に連通した風路部６４が設けられている。この風路部６４は、開口部１５からケース部５の内部に上方に延設され、前側に屈曲して電動送風機３の下部であるこの電動送風機３の吸込側に連通している。このため、ホース部２４、集塵カップ１６、プリーツフィルタ５６、メッシュフィルタ５３、貫通孔５１および風路部６４により、吸込口２２から電動送風機３の吸込側に至る吸込風路６５が形成されている。
【００３４】
さらに、ケース部５の内部の電動送風機３の後側には、電動送風機３の排気側に連通する図示しない排気風路が形成されている。この排気風路は、ケース部５の両側部に貫通して設けられた図３に示す排気孔６７に連通し、電動送風機３を通過して排気風となった空気を排気孔６７から掃除機本体２の外部に排気する。
【００３５】
次に、上記一実施の形態の動作を説明する。
【００３６】
まず、掃除機本体２のケース部５に対してハンドル体１８が折り曲げられた図１および図３に示す収納状態から、図２および図４に示す使用状態にする場合には、ケース部５に対してハンドル体１８を上方に向けて回動させて、このハンドル体１８のクランプ部２５をケース部５のクランプ受部２６に係合させ、このハンドル体１８をケース部５の上方に向けて突出させる。
【００３７】
このとき、軸支部１９の回動によりギヤ部３４の第１のギヤＧ１、第２のギヤＧ２、第３のギヤＧ３、第４のギヤＧ４および第５のギヤＧ５が順次回動し、この第５のギヤＧ５の回動に伴って、図１に示すように、ラック３５が上方向に移動する。
【００３８】
そして、ラック３５の前側ギヤ溝３７に歯合した掃除手段４５の回転ギヤ４６が回動して、突起４７がプリーツフィルタ５６の後側面上を、このプリーツフィルタ５６の湾曲に沿って前後に移動してこのプリーツフィルタ５６を叩くことでプリーツフィルタ５６が振動し、このプリーツフィルタ５６に付着した塵埃が掃除されてカップ本体５５内に集塵される。すなわち、プリーツフィルタ５６が塵落としされる。
【００３９】
次いで、掃除機本体２のモータケース部４のコード口１１から突出したコード６のプラグ部８を引き、このモータケース部４内のコードリール部７を回転させ、このモータケース部４のコード口１１からコード６を引き出した後、このコード６のプラグ部８を、掃除箇所に近接した壁面などに設けられたコンセント部に接続する。
【００４０】
この状態で、ハンドル体１８の手許操作部３１を握り、このハンドル体１８の操作スイッチ３２を押して、モータケース部４内の電動送風機３を駆動させるとともに、床ブラシ１７の回転清掃体を回転駆動させる。
【００４１】
すると、この電動送風機３の駆動で、床ブラシ１７の吸込口２２から外部の空気が吸い込まれるとともに、この空気とともに塵埃が吸い込まれる。よって、この床ブラシ１７の吸込口２２を掃除面としての床面に設置し、ハンドル体１８の手許操作部３１を握って床ブラシ１７を床面に沿って前後に移動させて、この床面を掃除する。
【００４２】
床ブラシ１７の吸込口２２から塵埃とともに吸い込まれた空気は吸込風となり、この吸込風は、ホース部２４を通過して集塵カップ１６のカップ本体５５内に吸い込まれる。
【００４３】
さらに、カップ本体５５内に吸い込まれた吸込風は、プリーツフィルタ５６にて塵埃が吸着除去され、この分離された塵埃はカップ本体５５内に集塵される。
【００４４】
また、プリーツフィルタ５６にて除去できなかった微細な塵埃すなわち細塵は、メッシュフィルタ５３により吸着除去される。
【００４５】
そして、吸込風は、貫通孔５１および風路部６４を通過して電動送風機３に吸い込まれて排気風となり、排気風路および排気孔６７を通って掃除機本体２の外部へと排気される。
【００４６】
この後、掃除が終了などして、集塵カップ１６のカップ本体５５内に集塵された塵埃をこのカップ本体５５内から取り出す場合には、ハンドル体１８の操作スイッチ３２を押して、電動送風機３の駆動および床ブラシ１７の回転清掃体の回転を適宜停止させた後、カップボタン６３を押して集塵カップ１６を掃除機本体２から取り外して、このカップ本体５５のカップ開口部６１を図示しない集塵箱などに向けてカップ本体５５内に集塵された塵埃を取り出す。
【００４７】
そして、集塵カップ１６を掃除機本体２に取り付けて再度使用する。
【００４８】
さらに、図２および図４に示す使用状態から、図１および図３に示す収納状態にする場合には、まず、掃除機本体２のモータケース部４のコード口１１から引き出したコード６のプラグ部８をコンセント部から引き抜く。
【００４９】
次いで、このモータケース部４のコード巻取ボタン１２を押して、このモータケース部４のコードリール部７を回転させ、このコードリール部７にて引き出したコード６を巻き取る。
【００５０】
この後、ハンドル体１８のクランプ操作ボタン２７を押して、このハンドル体１８のクランプ部２５の爪部２８によるケース部５のクランプ受部２６への係合を解除させた状態で、このハンドル体１８をケース部５の後側に向けて回動させて折り曲げる。
【００５１】
すると、掃除機本体２を収納状態から使用状態にした場合と反対に、軸支部１９の回動によりギヤ部３４の第１のギヤＧ１、第２のギヤＧ２、第３のギヤＧ３、第４のギヤＧ４および第５のギヤＧ５が順次回動し、この第５のギヤＧ５の回動に伴って、図２に示すように、ラック３５が下方向に移動する。
【００５２】
そして、ラック３５の前側ギヤ溝３７に歯合した掃除手段４５の回転ギヤ４６が回動して、突起４７がプリーツフィルタ５６の後側面上を、このプリーツフィルタ５６の湾曲に沿って前後に移動してこのプリーツフィルタ５６を叩くことでプリーツフィルタ５６が振動し、このプリーツフィルタ５６に付着した塵埃が掃除されてカップ本体５５内に集塵される。
【００５３】
すなわち、ハンドル体１８の回動に連動して掃除手段４５がプリーツフィルタ５６に付着した塵埃を掃除し、プリーツフィルタ５６の目詰まりなどを防止する。
【００５４】
そして、操作者は、掃除機本体２の取手部１３を把持して、この掃除機本体２を収容場所へと運んで収納する。
【００５５】
上述したように、上記一実施の形態では、アップライト型の掃除機本体２に対するハンドル体１８の回動に連動して掃除手段４５がプリーツフィルタ５６を掃除する構成とした。
【００５６】
このため、一旦電動送風機を停止させ、集塵カップを掃除機本体から取り外して塵落としレバーを操作するなどしてプリーツフィルタを掃除しなければならない従来の場合と比較して、操作者が煩雑な動作などをすることなく、プリーツフィルタ５６を容易かつ確実に掃除できる。
【００５７】
特に、アップライト型の電気掃除機１では、重心が比較的高い位置にあるため、掃除終了時にそのままの状態で壁などに立てかけて収納すると、掃除機本体２と床ブラシ１７とが互いに回動して倒れ易いので、一般にはハンドル体１８を掃除機本体２に対して折り曲げた状態で収納する。このため、この収納時のハンドル体１８を掃除機本体２に対して折り曲げる動作に連動して掃除手段４５でプリーツフィルタ５６を掃除することで、掃除終了時に収納動作をするだけでプリーツフィルタ５６を容易かつ確実に掃除できる。
【００５８】
しかも、電動送風機３の駆動を停止させた掃除終了直後にプリーツフィルタ５６を掃除するため、電動送風機３の吸い込みによるプリーツフィルタ５６への塵埃の付着力を低下させた状態でプリーツフィルタ５６を掃除できるとともに、例えば掃除終了後に、ある程度時間が経過してからプリーツフィルタ５６を掃除する場合のように塵埃がプリーツフィルタ５６に付着したまま乾燥して落ちにくくなっていることなどもなく、プリーツフィルタ５６の掃除効率をより向上できる。
【００５９】
さらに、掃除終了時にプリーツフィルタ５６を掃除するので、次回に掃除を開始するときには、プリーツフィルタ５６の目詰まりを解消した状態で使用できる。
【００６０】
そして、プリーツフィルタ５６の目詰まりをハンドル体１８の操作だけで解消するので、電動送風機３の吸込力の低減を防止でき、かつプリーツフィルタ５６を取り外して洗うなどの手間を削減でき、操作者の手を汚すことなどをも防止できる。
【００６１】
なお、上記一実施の形態において、掃除手段４５の構成は、例えばプリーツフィルタ５６の後側面に接触して回転するブラシなど、他の様々な構成が可能である。
【００６２】
また、ギヤ部３４は、ハンドル体１８の回動を掃除手段４５に伝達できれば、ギヤ比、ギヤの個数、配置など、他の様々な構成が可能である。
【００６３】
さらに、ギヤ部３４を用いてハンドル体１８の回動をラック３５および掃除手段４５に伝達したが、例えば板ばね、あるいはばね鋼材などをハンドル体１８とラック３５との間に連結し、ハンドル体１８の回動をこれら板ばね、あるいはばね鋼材などにてラック３５および掃除手段４５に伝達するなど、他の様々な構成が可能である。
【００６４】
またさらに、フィルタとしては、プリーツフィルタ５６のみでなく、例えば排気孔６７に設けた図示しないフィルタなど、掃除機本体２の吸込風路６５中に位置するフィルタであれば、どのフィルタにも対応させて用いることができる。
【００６５】
そして、アップライト型の掃除機本体２は、上記一実施の形態では、電動送風機３を上に、集塵カップ１６を下に配置したが、これとは逆に、電動送風機３を下に、集塵カップ１６を上に配置したものでもよい。
【００６６】
また、ハンドル体１８は、掃除しないときに折り曲げて、掃除機本体２の転倒防止用として用いてもよい。
【００６７】
【発明の効果】
本発明によれば、掃除機本体の上端部から上方に伸びるハンドル体をアップライト型の掃除機本体に対して回動させるだけで掃除手段にてフィルタを容易に掃除できる。
【図面の簡単な説明】
【図１】本発明の一実施の形態の電気掃除機の一部の収納状態を示す縦断面図である。
【図２】同上電気掃除機の一部の使用状態を示す縦断面図である。
【図３】同上電気掃除機の収納状態を示す斜視図である。
【図４】同上電気掃除機の使用状態を示す斜視図である。
【図５】同上電気掃除機の一部を示す分解斜視図である。
【符号の説明】
１    電気掃除機
２    掃除機本体
３    電動送風機
１８    ハンドル体
４５    掃除手段
５６    フィルタとしてのプリーツフィルタ
【図１】
2004358117.tif 000003
【図２】
2004358117.tif 000004
【図３】
2004358117.tif 000005
【図４】
2004358117.tif 000006
【図５】
2004358117.tif 000007